(57)【要約】      （修正有）【課題】組立てが簡易且つ迅速にでき、ボルトなどの固着具を使用せずにハウジングとポンプカバーとを強固に固定でき、適性なる組立てが確保されること。【解決手段】ハウジング１と、ポンプカバー２と、インペラ５と、磁性コアを包むコアインシュレータに巻線が巻着されたステータコアＡとからなること。ハウジング１の外周面部１３とポンプカバー２の外周筒縁２２の内周とに適宜の回転角度の回転にて嵌合するロック機構Ｂが形成されると共に、ハウジング１の頂部１１に形成した貫通孔１１ａと、ポンプカバー２の円板状カバー部２１下面に形成された穴部とがロック機構Ｂのロック完了時のみ略完全に連通状態となるように構成されること。この連通状態下で前記ステータコアＡに形成した突起７５が貫通孔１１ａ及び穴部に挿入されること。この挿入箇所も含めてステータコアＡがハウジング１内に埋設されるように封止材９が充填されること。【選択図】図１
2010121539.tif 000002
【特許請求の範囲】
【請求項１】
環状の頂部の中央にカップ状の隔壁状部が形成され、前記頂部の外周に外周面部が形成されたハウジングと、円板状カバー部の外周に外周筒縁が形成されたポンプカバーと、前記ハウジング内に収納されるインナーロータマグネットを有するインペラと、磁性コアの外周を包むコアインシュレータに巻線が巻着されたステータコアとからなり、前記ハウジングの外周面部と前記ポンプカバーの外周筒縁の内周とに適宜の回転角度の回転にて嵌合するロック機構が形成されると共に、前記ハウジングの頂部に形成した貫通孔と、前記ポンプカバーの円板状カバー部下面に形成された穴部とが前記ロック機構のロック完了時のみ略完全に連通状態となるように構成され、この連通状態下で前記ステータコアに形成した突起が前記貫通孔及び前記穴部に挿入され、この挿入箇所も含めて前記ステータコアが前記ハウジング内に埋設されるように封止材が充填されてなることを特徴とするウォーターポンプにおけるポンプカバー締結構造。
【請求項２】
請求項１において、前記ロック機構は、前記ハウジングの外周面部に複数のロックピンが、前記ポンプカバーの外周筒縁の内周に、前記複数のロックピンに対応して適宜の回転角度にて嵌合するロック溝をそれぞれ形成されてなることを特徴とするウォーターポンプにおけるポンプカバー締結構造。
【請求項３】
請求項１又は２において、前記ハウジングの頂部上と前記ポンプカバーの円板状カバー部の下面との間に弾性を有するＯリングが圧縮されつつ介在されてなることを特徴とするウォーターポンプにおけるポンプカバー締結構造。
【請求項４】
請求項１，２又は３のいずれか１項において、前記突起は前記コアインシュレータに一体形成されてなることを特徴とするウォーターポンプにおけるポンプカバー締結構造。
【請求項５】
請求項２，３又は４のいずれか１項において、前記ロック溝は、ほぼＬ型状をなし、垂直状の挿入部と、該挿入部の上端より前記外周筒縁の円周方向を向いて横溝部が連続して形成されてなることを特徴とするウォーターポンプにおけるポンプカバー締結構造。
【請求項６】
請求項５において、前記ロック溝の横溝部の終端には前記ロックピンが係止される凹面が形成されてなることを特徴とするウォーターポンプにおけるポンプカバー締結構造。
【請求項７】
請求項１，２，３，４，５又は６のいずれか１項において、前記ハウジングの頂部に形成した貫通孔と、前記ポンプカバーの円板状カバー部に形成された穴部とが長孔状で略同一形状をなすと共に、前記ステータコアに形成した突起は前記貫通孔又は前記穴部とは僅かに小径に形成されてなることを特徴とするウォーターポンプにおけるポンプカバー締結構造。
【請求項８】
環状の頂部の中央にカップ状の隔壁状部が形成され、前記頂部の外周に外周面部が形成されたハウジングと、円板状カバー部の外周に外周筒縁が形成されたポンプカバーと、前記ハウジング内に収納されるインナーロータマグネットを有するインペラと、磁性コアの外周を包むコアインシュレータに巻線が巻着されたステータコアとからなり、前記ハウジングの外周面部と前記ポンプカバーの外周筒縁の内周とを適宜の回転角度にて嵌合させると共に、前記ハウジングの頂部に形成した貫通孔と、前記ポンプカバーの円板状カバー部に形成された穴部とを嵌合完了時のみ略完全に連通状態とさせ、該連通状態下で前記ステータコアに形成した突起を前記貫通孔及び前記穴部に挿入し、この挿入箇所も含めて前記ステータコアを前記ハウジング内に埋設するように封止材を充填したことを特徴とするウォーターポンプにおけるポンプカバー締結構造の製造法。
【発明の詳細な説明】
【技術分野】
【０００１】
本発明は、組立てが簡易且つ迅速にでき、何等のボルトなどの固着具を使用することなくハウジングとポンプカバーとを強固に固定でき、さらには、組立てすることができれば、適性なる組立てが確保されるというウォーターポンプにおけるポンプカバー締結構造及びその製造法に関する。
【背景技術】
【０００２】
近年、ハイブリッド車やアイドリングストップ車のように運転中にエンジンが停止することがある車両において、エンジン停止時の冷却水の循環用としてメインである機械式ウォーターポンプの他に、電動ウォーターポンプが取り付けられることが増えてきている。ハイブリッド車では燃費の向上が最重要課題の一つとなっているため、電動ウォーターポンプにおいても軽量化が強く求められている。そのため通常の機械式ウォーターポンプのいわゆるカバーやケースやハウジング等はアルミ鋳造品で作られることが多いが、電動ウォーターポンプのいわゆるカバーやケースやハウジング等は、ほとんど樹脂成形品によって作られている。
【０００３】
また、電動ウォーターポンプのポンプ部分が形成されているいわゆるポンプカバー（外枠は樹脂）と、モーター部分が形成されているモーターハウジング（外枠は樹脂）は別部品のことが多く、別々の製造ラインで製造した後、組み付けて１つの電動ウォーターポンプとする訳だが、組み付ける手法として最も広く使用されているのはボルトによる締結方法である。しかし、ボルトによる締結では組み付けに時間がかかり、かつボルト自体も重いという課題があり、上記軽量化による燃費向上の要望とは相反するものである。
【０００４】
さらにボルト締結の場合には、ボルト締結部（ボルト座面）が電動ウォーターポンプ部分より大きく外にはみ出す形状となってしまうため、ボルトだけで無くボルト締結部（ボルト座面）の重量も増加してしまい、またスペース（占有体積）も増加してしまうものである。また、先行技術としての特許文献１には、電動ウォーターポンプにおいて、上述のように組み付け工数と重量とスペースの面で課題があるボルトの使用を複数本から１本に滅らした技術内容が開示されている。
【特許文献１】特開平６−５８２９７号
【０００５】
これはモーター１とケーシングカバー４の固定方法として、モーター及びケーシングカバーそれぞれに回転方向（周方向）に凸部と凹部形状の溝部を設ける。モーター及びケーシングカバーをそれぞれ逆方向に回動させることで、それぞれの凸部と凹部形状の溝同士が噛み合い、モーターとケーシングカバーが固定される。上記固定方法は分かり易く言うと、ネジ形式の缶、ビンの蓋のような固定方法である。
【０００６】
但し、上記特許文献１にも開示されているように、上記固定方法ではボルトが最低でも１本必要である。これはモーター及びケーシングカバーをそれぞれ逆方向に回動させ、溝同士を噛み合わせることで、お互いが長手方向に相対移動することは無くなるが、モーター及びケーシングカバーを締め付けた回転方向と逆方向に回動させると、モーター及びケーシングカバーの固定は簡単に外れてしまうためである。（缶、ビンの蓋を締め付けた方向と逆に回すと外れてしまうのと同様）そのため、モーター及びケーシングカバーの回転方向の相対移動（回転）を防止するため、最低でも１本のボルトを必要とする。
【０００７】
上記内容を簡単にまとめると、特許文献１の電動ウォーターポンプの固定方法で複数本使用していたボルトを１本に減らすことは可能であるが、最低でも１本のボルトが必要である。特許文献１の図２，図９などから明らかなように、ボルトが存在しない箇所は円形状でありながら、ボルトを取り付ける部位にはボルト座面としてのボルト径よりも大きい略円筒状の突起部が必須である。以上の事から、特許文献１で、ボルト締結による組付け時間と重量とスペースに関する課題が完全に解決されたとは言えないものである。
【発明の開示】
【発明が解決しようとする課題】
【０００８】
このため、本発明が解決しようとする課題（技術的課題又は目的等）は、組付時間の低減、軽量化を実現し、省スペース化を図り、ひいては製品価格をも下げるようにすることである。本発明は上述の課題を解決し、もって電動ウォーターポンプにおける組付時間の低減、軽量化、省スペース化を図れる構造を提供するものである。
【課題を解決するための手段】
【０００９】
そこで、発明者は上記課題を解決すべく鋭意，研究を重ねた結果、請求項１の発明を、環状の頂部の中央にカップ状の隔壁状部が形成され、前記頂部の外周に外周面部が形成されたハウジングと、円板状カバー部の外周に外周筒縁が形成されたポンプカバーと、前記ハウジング内に収納されるインナーロータマグネットを有するインペラと、磁性コアの外周を包むコアインシュレータに巻線が巻着されたステータコアとからなり、前記ハウジングの外周面部と前記ポンプカバーの外周筒縁の内周とに適宜の回転角度の回転にて嵌合するロック機構が形成されると共に、前記ハウジングの頂部に形成した貫通孔と、前記ポンプカバーの円板状カバー部下面に形成された穴部とが前記ロック機構のロック完了時のみ略完全に連通状態となるように構成され、この連通状態下で前記ステータコアに形成した突起が前記貫通孔及び前記穴部に挿入され、この挿入箇所も含めて前記ステータコアが前記ハウジング内に埋設されるように封止材が充填されてなることを特徴とするウォーターポンプにおけるポンプカバー締結構造としたことにより、前記課題を解決した。
【００１０】
請求項２の発明を、請求項１において、前記ロック機構は、前記ハウジングの外周面部に複数のロックピンが、前記ポンプカバーの外周筒縁の内周に、前記複数のロックピンに対応して適宜の回転角度にて嵌合するロック溝をそれぞれ形成されてなることを特徴とするウォーターポンプにおけるポンプカバー締結構造としたことにより、前記課題を解決した。請求項３の発明を、請求項１又は２において、前記ハウジングの頂部上と前記ポンプカバーの円板状カバー部の下面との間に弾性を有するＯリングが圧縮されつつ介在されてなることを特徴とするウォーターポンプにおけるポンプカバー締結構造としたことにより、前記課題を解決した。請求項４の発明を、請求項１，２又は３のいずれか１項において、前記突起は前記コアインシュレータに一体形成されてなることを特徴とするウォーターポンプにおけるポンプカバー締結構造としたことにより、前記課題を解決した。
【００１１】
請求項５の発明を、請求項２，３又は４のいずれか１項において、前記ロック溝は、ほぼＬ型状をなし、垂直状の挿入部と、該挿入部の上端より前記外周筒縁の円周方向を向いて横溝部が連続して形成されてなることを特徴とするウォーターポンプにおけるポンプカバー締結構造としたことにより、前記課題を解決した。請求項６の発明を、請求項５において、前記ロック溝の横溝部の終端には前記ロックピンが係止される凹面が形成されてなることを特徴とするウォーターポンプにおけるポンプカバー締結構造としたことにより、前記課題を解決した。請求項７の発明を、請求項１，２，３，４，５又は６のいずれか１項において、前記ハウジングの頂部に形成した貫通孔と、前記ポンプカバーの円板状カバー部に形成された穴部とが長孔状でほぼ同一形状をなすと共に、前記ステータコアに形成した突起は前記貫通孔又は前記穴部とは僅かに小径に形成されてなることを特徴とするウォーターポンプにおけるポンプカバー締結構造としたことにより、前記課題を解決した。
【００１２】
請求項８の発明を、環状の頂部の中央にカップ状の隔壁状部が形成され、前記頂部の外周に外周面部が形成されたハウジングと、円板状カバー部の外周に外周筒縁が形成されたポンプカバーと、前記ハウジング内に収納されるインナーロータマグネットを有するインペラと、磁性コアの外周を包むコアインシュレータに巻線が巻着されたステータコアとからなり、前記ハウジングの外周面部と前記ポンプカバーの外周筒縁の内周とを適宜の回転角度にて嵌合させると共に、前記ハウジングの頂部に形成した貫通孔と、前記ポンプカバーの円板状カバー部に形成された穴部とを嵌合完了時のみ略完全に連通状態とさせ、該連通状態下で前記ステータコアに形成した突起を前記貫通孔及び前記穴部に挿入し、この挿入箇所も含めて前記ステータコアを前記ハウジング内に埋設するように封止材を充填したことを特徴とするウォーターポンプにおけるポンプカバー締結構造の製造法としたことにより、前記課題を解決したものである。
【発明の効果】
【００１３】
請求項１の発明においては、ハウジングへのポンプカバーの組付時間の低減、軽量化を実現し、省スペース化を図り、ひいては製品価格をも下げるようにできる。具体的には、ボルト等の固着具さえも１本もなく、組付時間を低減できるのみならず、軽量化を実現できる利点がある。請求項２の発明では、ロック機構を、ロックピンとロック溝としたことで、簡易且つ確実な構成にできる。請求項３の発明では、ハウジングの頂部上と前記ポンプカバーの円板状カバー部の下面との間に弾性を有するＯリングが圧縮されつつ介在されているため、前記ロック機構をより確実な止め構成にできる。請求項４の発明では、突起はコアインシュレータに一体形成されているので、構成を簡単にできると共に、強固なる構成にできる。
【００１４】
請求項５の発明では、ロック溝を、ほぼＬ型状をなし、垂直状の挿入部と、該挿入部の上端より前記外周筒縁の円周方向を向いて横溝部を連続して形成させたことで、スラスト方向への移動を簡単な動作にてロックできる構成にできる。請求項６の発明では、ロック溝の終端は凹面形成にしたことで、そのロック状態を確実に保持できる。請求項７の発明では、貫通孔、穴部とが長孔状でほぼ同一形状で、突起は前記貫通孔又は前記穴部に対し僅かに小径に形成としたことで、強固な構成にできると共に、封止材を良好に充填でき、確実なる固定ができる。請求項８の発明では、この製造法にて、電動ウォーターポンプの組付けをすると、正しく組付けができたことになり、別途正しく組付けられたかの確認作業を不要にでき、製造のサイクルタイム及び作業の労力を大幅に低減できる利点がある。
【発明を実施するための最良の形態】
【００１５】
以下、本発明の実施形態について図面に基づいて説明する。本発明は、電動ウォーターポンプにおける隔壁機能を有するハウジング１とポンプカバー２とから構成され、そのＤＣモータ部として、外周のステータコア（電磁石）Ａと、内周のインナーロータマグネット５ｂとが備えられている。該インナーロータマグネット５ｂは、前記ステータコア内に回転自在に設けられている。前記インナーロータマグネット５ｂと前記ハウジング１間には冷却水が密封されている。そのＤＣモータ部を構成する部材なる前記インナーロータマグネット５ｂの上部には、インペラ５が一体形成されている。
【００１６】
本発明は、ハウジング１とポンプカバー２とステータコアとの関連にあり、その箇所の具体的構造について詳述する。前記ハウジング１は、合成樹脂製で、上面側に隔壁機能を有する部位が設けられ、外周側が筒状をなしている。環状円板としての頂部１１と、該頂部１１の内周位置より断面カップ型の隔壁状部１２と、前記頂部１１の外周位置より筒状の外周面部１３が構成されている。該外周面部１３の上部側を上側外周面部１３ａという。該上側外周面部１３ａと前記頂部１１と前記隔壁状部１２とで、ドーナツ型の前記ステータコアが収納されるステータ収納部１４が構成されている。
【００１７】
図中１５は、頂部立上り縁であり、前記頂部１１の上側で、この内周も少し大径の筒片として形成されている。また、前記頂部１１の外周箇所には、後述するステータの突起７５が挿通される貫通孔１１ａが形成されている。前記隔壁状部１２の内周側にはインペラや軸部が配置され、ポンプとしての機能を果たすように構成されている。具体的には、前記隔壁状部１２の底部面１２ａの中央箇所より上側にボス部１２ｂが形成され、該ボス部１２ｂに前記金属製のインペラ取付用の軸部１２ｃが固着されている。該軸部１２ｃに対して、前記インペラの取付孔５ａが回転自在に挿入されている。
【００１８】
前記ポンプカバー２は、合成樹脂製で、中央が上側に膨脹した蓋状をなしている。円板状カバー部２１と、該円板状カバー部２１の外周より下側に形成された外周筒縁２２と、前記インペラを収納するインペラカバー部２３と吸入口２４と吐出口２５とから構成されている。前記上側外周面部１３ａの外周面にほぼ等間隔に３箇所又は４箇所にロックピン３が設けられ、該ロックピン３に対応して、前記ポンプカバー２の外周筒縁２２の内側にロック溝４が複数（３箇所又は４箇所）形成されている。
【００１９】
前記ハウジング１と前記ポンプカバー２は材質として合成樹脂であるが、冷却水が存在する部位のため耐熱性、耐クーラント性などが要求されている。前記円板状カバー部２１の下面には、前記ハウジング１の頂部１１の外周箇所に設けた貫通孔１１ａに対応する凹溝状の穴部２１ａが形成されている。前記貫通孔１１ａと、前記穴部２１ａとは円又は長孔状（三日月状）でほぼ同一形状をなすと共に、後述の突起７５よりは僅かに大径に形成されている。
【００２０】
前記ロック溝４は、前記ロックピン３が嵌合されてスラスト（長手方向）ロック機構の役割をなす部位であって、Ｌ型状をなし、垂直状の挿入部４１と、該挿入部４１の上端より前記外周筒縁２２の円周方向（回転方向）を向いて横溝部４２が連続して形成されている。該横溝部４２は、僅かな角度θ（約数度）上向きに形成されている。さらに、該横溝部４２の終端には、前記ロックピン３が係止される凹面４２ａが形成されている。
【００２１】
また、図３（Ｅ）に示すように、前記ロックピン３の高さｈとして形成すると、前記ロック溝４については、前記外周筒縁２２の内側面を仮に、水平面として考慮すると、断面Ｕ字形をなし、前記高さｈよりも僅かに深い深さｈ＋αをなしている。また、ロックピン３の形状としては単なる円柱状又は四角状の突起７５であれば機能上問題は生じない。以上のような前記ロックピン３と前記ロック溝４とを総称した上位概念としてロック機構Ｂと称する。
【００２２】
前記ロックピン３及びロック溝４が、円周上に３箇所以上ほぼ等分に設けられている。ここで、３箇所設けられているとすると、１２０度等分ではなく、僅かに異なるように配置することが好ましい。これは、等間隔であると、１２０度又は２４０度ずれて組付けられる可能性があることを防止するためである。つまり、円周上に３箇所のそれぞれの配置角度は不均一とすることで、ポンプカバー２とハウジング１が正しい角度ではないと取り付けられないようにできる利点がある。つまり、何の労力も必要とせず、正しい位置にステータコアＡを配置できる利点がある。
【００２３】
前記ポンプカバー２の前記インペラカバー部２３の下端箇所には、前記頂部立上り縁１５と、Ｏリング８とが収納される収納溝２３ａが形成されている。該収納溝２３ａの高さと前記頂部立上り縁１５とは同等であるが、前記Ｏリング８の高さはこれよりも大きく圧縮して収納するように構成され、このときに、該Ｏリング８の弾性力により、前記ロック溝４に嵌合されている前記ロックピン３が凹面４２ａに嵌まり込んだようになる。
【００２４】
前記ステータコア（電磁石）Ａは、磁性コア６とコアインシュレータ７とで構成されている。前記磁性コア６は、鋼板積層コア又は焼結金属にて構成されている。また、前記磁性コア６は、図６（Ｃ）に示すように、６個で円形となるようにセットとして構成されているが、複数個として、４個、８個、１２個とすることもある。この場合には、当然にコアインシュレータ７も対応して同一個数となる。該コアインシュレータ７は、前記磁性コア６全体を完全に被覆し且つ該磁性コア６を絶縁している。このような前記コアインシュレータ７は、合成樹脂製にて形成されている。
【００２５】
７５は突起であって、図６（Ｃ）に示すように、前記コアインシュレータ７の適宜な箇所の頂面又は底面上に突出するように一体形成されている。また、６個のコアインシュレータ７が連続している場合には、同図に示すように、１つおきに突出形成されている。また、前記ステータコアＡの括れ箇所には、コイル線ｍがバイファイラ巻きなどされて、ステータポールとしての内周側片部６２の内周面６２ａに、隣接して交互にＮ極，Ｓ極が励起するようにして６極として構成されている。
【００２６】
次に組付け作業について説明する。まず、固定状態としたハウジング１に対してポンプカバー２を被せるようにし、前記ハウジング１に設けたロックピン３の位置に対して、前記ポンプカバー２に設けられたロック溝４の挿入部４１の位置を平面的に見て一致させ［図４（Ａ）参照］、そのまま前記ポンプカバー２を降ろして前記ロックピン３を前記挿入部４１内に挿入させて、前記ロックピン３が突き当たるまで降ろす［図４（Ｂ）、図５（Ａ）及び（Ｃ）参照］。このときには、前記ハウジング１の頂部１１に形成した貫通孔１１ａと、前記ポンプカバー２の円板状カバー部２１下面に形成された穴部２１ａとは完全には連通しない［図５（Ｂ）参照］。
【００２７】
そして、前記ポンプカバー２を適宜な角度時計方向に回転させ、前記ロックピン３を前記横溝部４２内の長さ方向中間まで挿入させる［図４（Ｃ），図５（Ｄ）及び（Ｆ）参照］。このときにも、前記ハウジング１の頂部１１に形成した貫通孔１１ａと、前記ポンプカバー２の円板状カバー部２１下面に形成された穴部２１ａとは完全には連通しない［図５（Ｅ）参照］。さらに、前記ポンプカバー２を適宜な角度時計方向に回転させて前記ロックピン３を前記横溝部４２内の終端まで挿入させる［図４（Ｄ），図５（Ｇ）及び（Ｉ）参照］。
【００２８】
このときに、前記ロックピン３は前記横溝部４２内の終端の凹面４２ａに係止される。同時に、前記ハウジング１の頂部１１に形成した貫通孔１１ａと、前記ポンプカバー２の円板状カバー部２１下面に形成された穴部２１ａとは略完全に連通状態となる［図５（Ｈ）参照］。「略完全」とは、１〜２mm程度の誤差があっても連通状態となることから、この値も含まれる概念である。また、この連通状態になった場合には、特に、前記貫通孔１１ａと穴部２１ａとが長孔方向での断面としての図５（Ｇ）におけるＸ４−Ｘ４方向の断面が、図５（Ｊ）断面であり、同一長さに形成されている。特に、前記ロックピン３が前記凹面４２ａに係止された状態は、前記Ｏリング８による弾発作用にて強固な固定状態に保持される。
【００２９】
この強固にできる作用について詳述すると、図４（Ｅ）に示すように、Ｏリング８を圧縮するようにして固定状態とすると、Ｏリング８の弾発作用にて前記ポンプカバー２は上方に、前記ハウジング１は下方に力がそれぞれ作用する。そのポンプカバー２にかかる上方の力は、該ポンプカバー２に設けたロック溝４を上方に引き上げる作用をなし、前記ハウジング１に設けたロックピン３を下方に下げる作用をなす。つまり、前記ロックピン３を下げてロック溝４の凹面４２ａを引き上げるため、その状態で強固な固定状態に保持されるものである［図４（Ｄ），図５（Ｇ）及び（Ｉ）参照］。
【００３０】
今度は、上下逆として図６（Ａ）及び（Ｂ）に示すように配置する。そして、前記ステータコアＡを前記ハウジング１内に挿入する。具体的には、図６（Ｃ）に示すように、ステータコアＡに設けた突起７５が下側になるようにして、該突起７５が、連通状態となっている前記貫通孔１１ａと前記穴部２１ａの箇所に挿入される［図６（Ｄ）及び（Ｅ）参照］。この状態では、前記ロックピン３とロック溝４のロック状態は保持される。つまり前記ロックピン３とロック溝４との離脱方向への逆回転はできない。結果的には、ロック状態は確実に保持される。
【００３１】
そして、図７に示すように、前記ハウジング１とステータコアＡとで囲まれた空間に溶融した合成樹脂を流し込む。この合成樹脂は伝熱性の高い樹脂が好ましいが、用途に応じた合成樹脂を使用する。溶融した合成樹脂は温度が下がれば硬化して封止材９（封止樹脂）となる。該封止材９の注入孔として、前記貫通孔１１ａ箇所を利用することもあるし、該貫通孔１１ａとは別に設けることもある。前記封止材９は、伝熱、防水、防塵、振動吸収等の役割を担う。
【００３２】
前記Ｏリング８は、前記ハウジング１とステータコアＡとで囲まれた空間から外部への封止材９の流出阻止及び外部からの雨水や泥土の流入を阻止する役割を担う。つまり、Ｏリング８が無いと、図４（Ｅ）に示すように、左から溶融した合成樹脂を流し込むときに合成樹脂が前記ハウジング１とポンプカバー２との隙間から漏れてしまうため、その漏れを防止するという重要な役割と、外部から浸入した雨水、泥土により前記封止材９が浸食されるのを防止する機能も兼ねている。このようにして製造が完了する。
【００３３】
本発明では、ボルトが不要のため、ボルト及びボルト締結部両方を不要にできるため、軽量化及び省スペース化を図れる。また、ロック機構Ｂにおいて、前記コアインシュレータ７の突起７５を一体形成していると、ロック機構Ｂ用のボルトなどの別部材は一切不要にできる。さらに、電動ウォーターポンプのポンプ部分を密封する機能を有するＯリング８により、前述した弾発作用にて、作業中にスラストロック機構が外れない作用も兼ね備えている。そのため、作業者の作業性を向上させ得る。
【００３４】
また、スラストロック機構が正しく固定される角度となることで初めて前記ポンプカバー２の穴部２１ａと前記ハウジング１の貫通孔１１ａの位置が揃う。揃わないときには、コアインシュレータ７の突起７５の挿入組付けはできない状態になる。つまり、作業者は正しく組付けしない限り、本発明品の電動ウォーターポンプを組付けはできない。つまり、考え方を変えると、電動ウォーターポンプの組付けができれば、正しく組付けができたことになる。つまり、別途正しく組付けられたかの確認作業を不要にでき、製造のサイクルタイム及び作業の労力を大幅に低減できる。また、前記ハウジング１の頂部１１に形成した貫通孔１１ａと、前記ポンプカバー２の円板状カバー部２１に形成された穴部２１ａとが長孔状で略同一形状をなすと共に、前記ステータコアＡに形成した突起７５は前記貫通孔１１ａ又は前記穴部２１ａとは僅かに小径に形成されているため、ここに封止材９が入り込み、ガタが無くしっかり固定できる。
【図面の簡単な説明】
【００３５】
【図１】（Ａ）は本発明の縦断面図、（Ｂ）は本発明品を分解し、一部を切除した斜視図である。
【図２】本発明の主要部材を分解した断面図である。
【図３】（Ａ）は図２のＰ−Ｐ矢視断面図、（Ｂ）は（Ａ）のＲ１−Ｒ１矢視断面図、（Ｃ）は（Ａ）のＲ２−Ｒ２矢視断面図、（Ｄ）は（Ａ）のＲ３−Ｒ３矢視断面図、（Ｅ）は図２のＱ−Ｑ矢視平面図である。
【図４】（Ａ）はハウジングに対してポンプカバーをセットしようとした状態の一部断面とした側面図、（Ｂ）及び（Ｃ）はハウジングに対してポンプカバーをセット途中状態の一部断面とした側面図、（Ｄ）はハウジングに対してポンプカバーをセット完了状態の一部断面とした側面図、（Ｅ）はＯリング箇所の拡大断面図である。
【図５】（Ａ）は図４（Ａ）又は（Ｂ）の一部断面とした平面図、（Ｂ）は（Ａ）のＸ１−Ｘ１矢視断面図、（Ｃ）は（Ａ）のＹ１−Ｙ１矢視断面図、（Ｄ）は図４（Ｃ）の一部断面とした平面図、（Ｅ）は（Ｄ）のＸ２−Ｘ２矢視断面図、（Ｆ）は（Ｄ）のＹ２−Ｙ２矢視断面図、（Ｇ）は図４（Ｄ）の一部断面とした平面図、（Ｈ）は（Ｇ）のＸ３−Ｘ３矢視断面図、（Ｉ）は（Ｇ）のＹ３−Ｙ３矢視断面図、（Ｊ）は（Ｇ）のＸ４−Ｘ４矢視断面図である。
【図６】（Ａ）はハウジングの貫通孔とポンプカバーの穴部とにステータコアの突起を挿入せんとする状態の断面図、（Ｂ）は（Ａ）の要部拡大断面図、（Ｃ）はステータコア全体の斜視図、（Ｄ）はハウジングの貫通孔とポンプカバーとの穴部にステータコアの突起を挿入完了した断面図、（Ｅ）は（Ｄ）の要部拡大断面図である。
【図７】（Ａ）は本発明の最終工程で溶融した合成樹脂（封止材）をハウジング内に流し込む状態図、（Ｂ）は（Ａ）の（ア）部拡大断面図、（Ｃ）は（Ｂ）のＳ−Ｓ矢視断面図である。
【符号の説明】
【００３６】
１…ハウジング、１１…頂部、１１ａ…貫通孔、１２…隔壁状部、１３…外周面部、
２…ポンプカバー、２１…円板状カバー部、２１ａ…穴部、２２…外周筒縁、
Ｂ…ロック機構、３…ロックピン、４１…挿入部、４２…横溝部、４２ａ…凹面、
５…インペラ、５ｂ…インナーロータマグネット、６…磁性コア、Ａ…ステータコア、
７…コアインシュレータ、７５…突起、ｍ…巻線、８…Ｏリング、９…封止材。
【図１】
2010121539.tif 000003
【図２】
2010121539.tif 000004
【図３】
2010121539.tif 000005
【図４】
2010121539.tif 000006
【図５】
2010121539.tif 000007
【図６】
2010121539.tif 000008
【図７】
2010121539.tif 000009